(57)【特許請求の範囲】
【請求項１】
地面に設置された複数の垂直支持台１１と、垂直支持台１１の上端に設置された軸受１２と、太陽電池パネル１３が設置され、かつ両端に設置された回転軸１４１が軸受１２に挿入設置されて回動するトルクチューブ１４と、を含む太陽電池パネル１３の傾斜角度手動調節装置において、
ボルト穴２１１が形成された底板２１と、この底板２１の両側に直立して形成された両側壁２２で断面「コ」字形レール状に形成されてなる短尺部材であって、
両側壁２２の上端縁２２Ａに、トルクチューブ１４の両端の底面１４Ａがトルクチューブ１４を水平に、かつ短尺部材の長さ方向とトルクチューブ１４の軸方向とが直角をなすように固定設置されるとともに、
底板２１の両側に形成されたボルト穴２１１が露出するように、両側のボルト穴２１１の間である中央にトルクチューブ１４の両端の底面１４Ａが固定設置される傾斜角度調節台２０と、トルクチューブ１４の回動による太陽電池パネル１３の傾斜角度調節時に傾斜角度調節台２０を支持して回動させる回動制限ストッパ３０であって、回動した傾斜角度調節台２０の両側のボルト穴２１１と一致するボルト穴が形成されており、
回動制限ストッパ３０は、折曲部３３で折り曲げられた第１ストッパ３１と第２ストッパ３２のプレートで構成され、
傾斜角度調節台２０と第１ストッパ３１と第２ストッパ３２にボルトを締結しておいた状態でボルト胴体に締結されたナットだけの調節によって傾斜角度調節が可能とされており、
垂直支持台１１の上端部の両側面に固定設置された回動制限ストッパ３０を含むことを特徴とする太陽電池パネルの傾斜角度手動調節装置。
【請求項２】
回動制限ストッパ３０は、トルクチューブ１４の回動時に折曲部３３を支点にして両側
に回動する傾斜角度調節台２０の底板２１と第１ストッパ３１及び第２ストッパ３２が面
接触されて、ボルト穴が互いに一致するように垂直支持台１１の上端部の両側面にななめ
に固定設置されていることを特徴とする請求項１に記載の太陽電池パネルの傾斜角度手動
調節装置。
【請求項３】
傾斜角度調節台と回動制限ストッパのボルト穴は、スロット穴であることを特徴とする
請求項１又は２に記載の太陽電池パネルの傾斜角度手動調節装置。
【発明の詳細な説明】
【技術分野】
【０００１】
本発明は、太陽光発電プラントに関するものであり、特に、太陽光発電プラントの設置場所及び季節によって異なる太陽高度に合わせて、太陽電池パネルの傾斜角度を手動で調節できるようにした太陽電池パネルの傾斜角度調節装置に関する。
【背景技術】
【０００２】
太陽の天文高度は、太陽光発電プラントの設置場所(国家や地域)、設置場所の高度だけでなく、年中(季節別)、及び一日中(日が昇ってから沈むまで)に変わるので、太陽光発電を最適にするためには太陽の高度変化に従って太陽電池パネルの位置、すなわち、太陽に面する太陽電池パネルの傾斜角度を変更しなければならない。
【０００３】
このため、太陽の高度変化に合わせて太陽を自動又は手動で追尾して、太陽電池パネルの傾斜角度を調節する各種の太陽光発電装置が開発されている。
【０００４】
太陽光発電プラントの太陽電池パネルの手動式傾斜角度調節装置中の一つとして特許文献１が公知である。特許文献１には、太陽電池パネルの傾斜角度調整作業に対して、「結合部材としては第１及び第２固定結合孔１３７、１３８に対して結合可能に位置された回動結合孔１４２を通じて挿入した後締めることができるようにボルト１８２とナット１８４が適用された。傾斜角度も調整型太陽光発電装置１００は、ボルト１８２とナット１８４を第１結合プレート１３０と第２結合プレート１４０から解体した後、 太陽電池パネ
ル１２０の傾斜角度程度の第２結合プレート１４０を回動させるが、回動結合孔１４２が第１及び第２固定結合孔１３７、１３８に対応されるように位置されれば再びボルト１８２とナット１８４を利用して固定すれば良い。」と開示されているが、２個のボルトとナットを取り外して太陽電池パネルを所望の方向に回動させた後、再び２個のボルトとナットを締結して太陽電池パネルを所望の位置に固定する方式であるために作業性が落ちる。
【０００５】
さらに、ボルトとナットを取り外したときに、太陽電池パネルがその重さによって自由回動するようになるが、太陽電池パネルの自由回動を制限するストッパが具備されていないために、重い太陽電池パネルを保持した状態で太陽電池パネルの傾斜角度調整作業をしなければならないので、傾斜角度の調整が困難で、かつ作業性が落ちる。
【０００６】
また、保持した太陽電池パネルを手離すと、太陽電池パネルが自由回動し、破損されるか、また回動する太陽電池パネルが作業者に危害を加えることがある。
【０００７】
さらに、特許文献１には、太陽電池パネルの傾斜角度について、「ここで第２結合プレート１４０に形成された回動結合孔１４２の個数及び間隔は、支柱１１０の上面に対する太陽電池パネル１２０の傾斜調整角度範囲のうちで最大角度と最小角度の範囲内で単位調整角度で設定された細分角度に対して第１及び第２固定結合孔１３７、１３８を通じて結合部材で結合することができるように形成されれば良い。図示された例では、最大角度が４５度であり、最小角度が１５であり、細分角度を１０度で適用したときに１０度の間隔で太陽電池パネル１２０の傾斜角度を調整するように第１固定結合孔１３７に対して１０度ごとにに対応される間隔で４個の第１群回動結合孔１４２aが形成されていて、第２固
定結合孔１３８に対しても４個の第２群回動結合孔１４２bが形成されている。」と開示
されているように、１０度ずつ調整して最小角度１５度から、２５度、３５度、最大角度４５度で調整することができるが、１５〜２５度、２５〜３５度、３５〜４５度の間の太陽電池パネルの傾斜角度は、調整することができない。よって、緯度や季節によって変化する太陽高度の変化に対応して太陽電池パネルの傾斜角度を調整するのは困難である。
【先行技術文献】
【特許文献】
【０００８】
【特許文献１】大韓民国登録特許１０-０７６００４３号公報
【発明の概要】
【発明が解決しようとする課題】
【０００９】
本発明の目的は、上記の課題を考慮して、太陽電池パネルの傾斜角度調節作業を容易にして作業性を向上させて、太陽発電プラントの設置国家や季節によって異なる太陽高度の変化に対して傾斜角度を調節できるようにした太陽電池パネルの傾斜角度手動調節装置を提供することにある。
【課題を解決するための手段】
【００１０】
前述した本発明の目的は、地面に設置された複数の垂直支持台と、垂直支持台の上端に設置された軸受と、太陽電池パネルが設置され、かつ両端に設置された回転軸が軸受に挿入設置されて回動するトルクチューブと、を含む太陽電池パネルの傾斜角度手動調節装置において、ボルト穴が形成された底板と、この底板の両側に直立して形成された両側壁で断面「コ」字形に形成されて、両側壁の上端がトルクチューブの両端の底面にトルクチューブと水平に、かつ直角をなすように固定設置されるとともに、底板の両側に形成されたボルト穴が露出するように、両側のボルト穴の間である中央にトルクチューブの両端の底面が固定設置される傾斜角度調節台と、トルクチューブの回動による太陽電池パネルの傾斜角度調節時に傾斜角度調節台を支持して回動させる回動制限ストッパであって、回動した傾斜角度調節台の両側のボルト穴と一致するボルト穴が形成されており、垂直支持台の上端部の両側面に固定設置された回動制限ストッパを含むことを特徴とする太陽電池パネルの傾斜角度手動調節装置によって達成される。
【００１１】
前記回動制限ストッパは、傾斜角度調節台が支持されて回動する折曲部を有するように、任意の角度で折り曲げられて傾斜角度調節台の両側のボルト穴と一致するボルト穴、がそれぞれ形成された第１ストッパと第２ストッパのプレートで構成されており、トルクチューブの回動時に折曲部を支点にして両側に回動する傾斜角度調節台の底板と第１ストッパ及び第２ストッパが面接触されて、ボルト穴が互いに一致するように垂直支持台の上端部の両側面にななめに固定設置ことが好ましい。
【００１２】
本発明の太陽電池パネルの傾斜角度手動調節装置において、傾斜角度調節台と回動制限ストッパのボルト穴は、スロット穴が好ましい。
【発明の効果】
【００１３】
前述した本発明の技術構成によって、太陽電池パネルの傾斜角度調節作業の作業性向上、太陽電池パネル及び作業者の安全性確保、及び国家別太陽高度(地球の緯度)や年中季節別)による太陽高度の変化に対処することができる。
【図面の簡単な説明】
【００１４】
【図１】図１は、本発明の実施態様に従う傾斜角度調節装置によってその傾斜角度を調整される太陽電池パネルの側面図である。
【図２】図２は、本発明の実施態様に従う太陽電池パネルの傾斜角度調整装置によってなされた傾斜角度調整を示す側面図である。
【図３】図３は、本発明の実施態様に従う太陽電池パネルの傾斜角度調整装置によってなされた傾斜角度調整を示す側面図である。
【図４】図４は、本発明の実施態様に従う傾斜角度調整装置の据付け状態を示す斜視図である。
【図５】図５は、本発明の実施態様に従うトルクチューブの側面図（Ａ）と正面図（Ｂ）である。
【図６】図６は、本発明の実施態様に従う傾斜角度調整装置に設置したトルクチューブを示す正面図である。
【発明を実施するための形態】
【００１５】
以下、本発明の太陽光発電プラントの太陽電池パネルの傾斜角度手動調節装置の技術構成とその作用効果を添付した前記図面を参照して詳細に記述する。
【００１６】
本発明の太陽電池パネルの傾斜角度手動調節装置は、地面に設置された複数の柱状垂直支持台１１と、垂直支持台１１の上端に設置された軸受１２(図４、図６）、及び太陽電
池パネル１３が設置されて両端に設置された回転軸１４１が軸受１２に挿入設置されて回動するトルクチューブ１４を含む。ここで、トルクチューブ１４の回転軸１４１は、図５に示したように、トルクチューブ１４の両端に設置されたエンドプレート１４２の上端部に設置される。
【００１７】
このような、本発明の太陽電池パネル１３の傾斜角度手動調節装置において、傾斜角度手動調節のための構成要素として、傾斜角度調節台２０と回動制限ストッパ３０が具備される。
【００１８】
傾斜角度調節台２０は、図４に示されるように、断面「コ」字形レール状に形成されてな
る短尺部材であって、ボルト穴２１１が形成された底板２１と、この底板２１の両側に直
立して形成された両側壁２２で構成されて、図６に示すように、両側壁２２の上端縁２２
Ａに、トルクチューブ１４の両端の底面１４Ａがトルクチューブ１４を水平に、かつ短尺
部材の長さ方向とトルクチューブ１４の軸方向とが直角をなすように固定設置されるが、
底板２１の両側に形成されたボルト穴２１１が露出するように、図２、図３に示すように
、両側のボルト穴２１１の間である中央にトルクチューブ１４の両端の底面が固定設置さ
れる。
【００１９】
回動制限ストッパ３０は、折曲部３３を有するように任意の角度で折り曲げられた第１ストッパ３１と第２ストッパ３２のプレートで構成されて、図４、図６に示すように、垂直支持台１１の上端部の両側面にななめに固定設置される。
【００２０】
ここで、垂直支持台１１の上端部の両側面にななめに固定設置される回動制限ストッパ３０は、トルクチューブ１４がその回転軸１４１によって回動しながら太陽電池パネル１３の傾斜角度調節時に折曲部３３を支点として両側に回動する傾斜角度調節台２０の底板２１と第１ストッパ３１と第２ストッパ３２が面接触されて底板２１と第１、第２ストッパ３１、３２のボルト穴２１１、３１１、３２１が互いに一致するようにななめに固定設置される。
【００２１】
そして、傾斜角度調節台２０のボルト穴２１１と回動制限ストッパ３０のボルト穴３１１、３２１はスロット穴が望ましいが、円形穴で構成することもできる。
【００２２】
一方、図２に示したように、本発明において、折曲部３３の折曲内角は１６０度であり、垂直支持台１１にななめに設置された回動制限ストッパ３０の固定設置角度は４０度である。このように折曲内角が１６０度であるので、回動して第１、第２ストッパ３１、３２の上面に面接触される傾斜角度調節台２０は２０度内で回動する。
【００２３】
このように回動制限ストッパ３０の角度を構成すれば、図１に示すように、垂直支持台１１と太陽電池パネル１３との間の太陽電池パネル１３より下側の角度は４０〜６０度の範囲で設定されて、上側の角度は５０〜３０度の範囲で設定される。
【００２４】
しかし、折曲内角(１６０度)又は/及び固定設置角度(４０度)を調整すれば、設置国家
及び地域の太陽高度(地球の緯度)によって傾斜角度調節台２０の前記上側の角度と下側の角度の調整が容易にできる。
【００２５】
前述したように構成された本発明の太陽電池パネルの傾斜角度手動調節装置は、トルクチューブ１４を、軸受１２に挿入設置されたその回転軸１４１によって手動で第１ストッパ３１又は第２ストッパ３２の側に回動させて、太陽の高度変化による太陽電池パネルの傾斜角度を手動で調節するものである。
【００２６】
以上記述した本発明の太陽電池パネルの傾斜角度手動調節装置を構成する傾斜角度調節台２０と回動制限ストッパ３０を相互に組合せた技術によって、特許文献１の従来技術の問題点が次のように解決される。
【００２７】
(１)特許文献１は、２個のボルトとナットを取り外して太陽電池パネルを所望の方向に回動させた後再び２個のボルトとナットを締結して太陽電池パネルを所望の位置に固定する方式によって作業性が落ちたが、本発明は従来のようにボルトとナットを取り外さないで太陽電池パネルを４０度から６０度の傾斜角度範囲内で、傾斜角度調節台２０と第１、第２ストッパ３１、３２のボルト穴がスロット穴である場合、図１と図２に示したように、第２ストッパ３２にボルトが締結された状態でナットをボルト胴体から完全に取り外して分離しないでナットがボルト胴体で締結された状態でナットを緩めれば太陽電池パネル１３が設置されたトルクチューブ１４の回転軸１４１が軸受１２で回動しながら太陽電池パネル１３の自重によって傾斜角度調節台２０が第１ストッパ３１方向に移ることによって太陽電池パネルの傾斜角度が調節される。第１ストッパ３１から第２ストッパ３２方向に太陽電池パネルが回動する場合も同じであるので、作業性が向上する。図３に示すように、傾斜角度調節台２０と第１、第２ストッパ３１、３２にボルトを締結しておいた状態でボルト胴体に締結されたナットだけの調節によって傾斜角度調節が可能であるので、ボルトとナットを取り外して分離する必要がない。
【００２８】
(２)特許文献１は、回動結合孔でボルトとナットを取り外したとき、太陽電池パネルの自由回動を拘束するストッパが具備されていないので、重い太陽電池パネルを回動させて調整しようとする回動結合孔に位置させた後に保持している状態で回動結合孔にボルトとナットを再び締結しなければならないので手に余って作業性が落ちたが、本発明は回動制限ストッパ３０が具備されているので、重い太陽電池パネルを保持する必要なしにナットを緩めたり締めたりすれば、太陽電池パネルの傾斜角度を調節することができるので、傾斜角度の調整が容易であり、作業性が向上する。本発明のこのような効果は、傾斜角度調節台２０と第１、第２ストッパ３１、３２のボルト穴がスロット穴であるか、又は円形穴であるかにかかわらず発揮される。
【００２９】
(３)特許文献１は、ボルトとナットを取り外せば太陽電池パネルが自由回動するので、破損の憂慮と作業者に対する危害の恐れがあったが、本発明は回動制限ストッパによって拘束されて太陽電池パネルが自由回動することができないので、太陽電池パネル及び作業者の安全性を確保することができる。本発明のこのような効果は、傾斜角度調節台２０と第１、第２ストッパ３１、３２のボルト穴がスロット穴であるか、又は円形穴であるかにかかわらず発揮される。
【００３０】
(４)特許文献１は、１５〜４５度の範囲内で１０度毎に太陽電池パネルの傾斜角度が調整されるので、１５〜２５度、２５〜３５度、３５〜４５度の間の傾斜角度は調整することができなかったが、本発明は折曲内角(１６０度)又は/及び固定設置角度(４０度)を調
整すれば、本発明の図面上の実施例である３０〜５０度の間の角度の外に１５〜３０度の間の角度も調節できるように構成されるので、特許文献１の１５〜４５度の間のすべての
角度を調節することができるので設置国家及び地域の太陽高度(地球の緯度)や年中(季節
別)による太陽高度の変化に対処することができる。
【符号の説明】
【００３１】
１１  垂直支持台
１２  軸受
１３  太陽電池パネル
１４  トルクチューブ
２０  傾斜角度調節台
２１  底板
２１１、３１１、３２１  ボルト穴
２２  両側壁
３０  回動制限ストッパ
３１  第１ストッパ
３２  第２ストッパ
３３  折曲部
【図２】
0005540152.tif 000002
【図４】
0005540152.tif 000003
【図６】
0005540152.tif 000004
【図１】
0005540152.tif 000005
【図３】
0005540152.tif 000006
【図５】
0005540152.tif 000007